(57)【要約】【課題】大型・大質量太陽電池パネルの大量輸送の梱包費等を低減し、リサイクルを可能にし、組立途中と保管中と輸送中の太陽電池パネルを安全に保持すること。【解決手段】梱包ケーシング１と、梱包ケーシング１を支持する木製パレット２とから構成されている。梱包ケーシング１と木製パレット２は、複数本の横方向締付バンド５と複数本の縦方向締付バンド６とにより締め付けられる。梱包ケーシング１は、複数の上側仕切り３１と、複数の下側仕切り２８とを有する。隣り合う２つの上側仕切り３１と隣り合う２つの下側仕切り２８は、単位太陽電池パネルＰを水平方向に円滑に挿入するために有効である。太陽電池パネルは、梱包ケーシングの組立途中と輸送中に捻れから防止されて安定的に保護される。梱包ケーシング１は折り畳み可能で、材料は再利用される。【選択図】          図１
2005153888.tif 000002
【特許請求の範囲】
【請求項１】
梱包ケーシングと、
前記梱包ケーシングを支持する木製パレットと、
前記梱包ケーシングの天面側と前記木製パレットの底面側に巻き付いて前記梱包ケーシングと前記木製パレットを締め付ける複数本の横方向締付バンドと、
前記梱包ケーシングの天面側と前記木製パレットの底面側に巻き付いて前記梱包ケーシングと前記木製パレットを締め付ける複数本の縦方向締付バンドとを構成し、
前記梱包ケーシングは、
複数の上側仕切りと、
複数の下側仕切りとを形成し、
前記上側仕切りのうち隣り合う２つの上側仕切りは、輸送対象の単位太陽電池パネルの上方部位を前記縦方向締付バンドが向く縦方向に案内する上側案内溝を形成し、
前記下側仕切りのうち隣り合う２つの下側仕切りは、輸送対象の単位太陽電池パネルの下方部位を前記縦方向に案内する下側案内溝を形成する
太陽電池パネル保持用ケーシング。
【請求項２】
梱包ケーシングの天面に接合する強度確保パネルと、
梱包ケーシングのコーナー部位を安定化する接着テープ
とを更に構成する請求項１の太陽電池パネル保持用ケーシング。
【請求項３】
前記上側仕切りと前記下側仕切りは紙製の段ボールで形成され、
前記段ボールは、対向する２層の紙製板と前記２層の紙製板の間に挟まれる紙製波板とで形成されている
請求項１の太陽電池パネル保持用ケーシング。
【請求項４】
前記梱包ケーシングは６面体を形成し、前記６面体の全ては段ボールで形成されている
請求項３の太陽電池パネル保持用ケーシング。
【請求項５】
前記梱包ケーシングは６面体として形成され、
前記梱包ケーシングは、
前記４面体で形成される側面体と、
前記４面体の天面側に上方から被さる天蓋と、
前記４面体の底面側に下方から被さる底蓋とを形成し、
前記天蓋は天面体を構成し、前記底蓋は底面体とを構成し、
前記複数の前記上側仕切りは前記天面体に形成され、
前記複数の前記下側仕切りは前記底面体に形成される
請求項１の太陽電池パネル保持用ケーシング。
【請求項６】
前記６面体の全部位は段ボールで形成され、且つ、前記天面体と底面体は段ボールで形成されている
請求項５の太陽電池パネル保持用ケーシング。
【請求項７】
前記梱包ケーシングの天面側に支持される強化パネルを更に構成し、
前記強化パネルは、前記横方向締付バンドと前記縦方向締付バンドとにより前記梱包ケーシングに締め付けられる
請求項１〜６から選択される１請求項の太陽電池パネル保持用ケーシング。
【請求項８】
前記木製パレットは、
最下層の第１木材柱と、
前記第１木材柱に支持され前記第１木材柱に結合する点在間隔木材体と、
前記点在間隔木材体に支持され前記点在間隔木材体に結合し前記第１木材柱に直交する第２木材柱と、
前記第２木材柱に支持され前記第２木材柱に結合し前記第２木材柱に直交する第３木材柱とを形成する
請求項１の太陽電池パネル保持用ケーシング。
【請求項９】
前記第１木材柱の本数は３であり、前記第２木材柱の本数は３であり、前記第３木材柱の本数は４又は４以上である
請求項８の太陽電池パネル保持用ケーシング。
【請求項１０】
前記３本の前記第１木材柱の間は、フォークリフトのフォークが入り込む空間を形成する
請求項８の太陽電池パネル保持用ケーシング。
【請求項１１】
パレットを作業現場に載置する手順と、
前記パレットの上面に６面体構造の梱包ケーシングを載置する手順と、
前記梱包ケーシングの天面側に形成され水平方向に向く上側案内溝と前記梱包ケーシングの底面側に形成され水平方向に向く下側案内溝とに輸送対象の太陽電池パネルの上縁部位と前記太陽電池パネルの下縁部位とを通して前記太陽電池パネルを水平方向に挿入して前記梱包ケーシングに装着する手順と、
前記梱包ケーシングの１面部位の３つの縁を前記梱包ケーシングの他の３面部位の縁にそれぞれに合わせる手順と、
前記１面部位と前記３面部位を接合する手順と、
前記梱包ケーシングの天面と前記パレットの底面とを横方向バンドで締め付ける第１締付手順と、
前記梱包ケーシングの天面と前記パレットの底面とを縦方向バンドで締め付ける第２締付手順とを構成し、
前記横方向バンドが向く横方向と前記縦方向バンドが向く縦方向は直交し、前記太陽電池パネルを水平方向に挿入する挿入方向は前記縦方向に一致している
段ボール箱組立方法。
【請求項１２】
前記梱包ケーシングに装着する手順は、前記第１締付手順より時間的に後行する
請求項１１の段ボール箱組立方法。
【請求項１３】
前記３面部位を接合する手順は、前記第１締付手順より時間的に後行し、前記第２締付手順より時間的に先行する
請求項１２の段ボール箱組立方法。
【請求項１４】
請求項１０の段ボール箱組立方法により組立られた太陽電池パネル保持用段ボール箱を解体する段ボール箱解体方法であり、
前記縦方向バンドを切断し又は緩める手順と、
前記１面部位を開く手順と、
前記上側案内溝と前記下側案内溝に前記太陽電池パネルを案内して前記梱包ケーシングから抜き出す手順と、
前記横方向バンドを切断し又は緩める手順と、
前記梱包ケーシングを前記パレットから分離する手順
とを構成する段ボール箱解体方法。
【請求項１５】
前記梱包ケーシングをリサイクル工場に輸送する手順と、
前記パレットの再利用地に輸送する手順
とを更に構成する段ボール箱解体方法。
【請求項１６】
複数の太陽電池パネルを収納する６面体の梱包ケーシングにリサイクル可能性材料が使用され、
前記梱包ケーシングは、折り畳み構造を有し、
前記梱包ケーシングの上面と下面に多数の仕切が設けられ、
前記梱包ケーシングの水平方向の一面に扉が設けられ、
前記梱包ケーシングは太陽電池パネルを垂直に保持し、前記扉から前記太陽電池パネルを比較的に小さい力で水平方向に容易に出し入れすることができる
太陽パネル保持用ケーシング。
【発明の詳細な説明】
【技術分野】
【０００１】
本発明は、太陽電池パネル保持用ケーシング、段ボール箱組立方法、及び、段ボール箱解体方法に関し、特に、大型・大重量の太陽電池パネルを保持し、リサイクル可能材料が用いられる太陽電池パネル保持用ケーシング、段ボール箱組立方法、及び、段ボール箱解体方法に関する。
【背景技術】
【０００２】
自然エネルギー利用の一環として、太陽光発電が進められている。光エネルギーを電気エネルギーに変換する発電膜形成素子の集合である単位発電パネル（発電モジュール）の量産化技術が進歩している。大量の単位発電パネルは地球規模的に流通し、トラック、コンテナ船で輸送される。単位発電パネルの発電素子とその電気出力線は、振動を嫌う。パネルを１枚ごとに耐振動的に慎重に梱包することは、梱包材料の増加を招く。多数枚のパネルを１単位梱包箱に梱包することが求められる。多数枚のパネルを１単位梱包箱に梱包する技術は、後掲特許文献１で知られている。
【０００３】
近年の技術の進歩に伴い、アモルファス型太陽電池パネルでは、寸法が幅１．１ｍ×長さ１．４ｍ、質量が１枚当たり２０数ｋｇの大型パネルが製造されるようになり、また、省資源・省エネルギーの観点から、次のような理由で特許文献１に記載されている「梱包箱の本体を分解・折り畳みできない構造」、「製品を縦置きに収納し、上下方向に出し入れする構造」、「梱包箱に発泡樹脂成形体、プラスティック段ボール等のリサイクルができない材料の使用」を採用することができない。
（１）大型・大質量太陽電池パネルの梱包箱は大型となるため、分解、折り畳み可能である構造としなければ、空き梱包箱の輸送に多くの費用がかかり、また、工場と据付現地に広大な空梱包箱の保管スペースが必要である。
（２）大型・大質量太陽電池パネルの梱包箱は高さが１．５ｍ前後になるため、上下方向に出し入れする構造では、大型・大質量太陽電池パネルの上端を３ｍ前後まで上方に持ち上げなければ出し入れすることができず、工場と据付現地で安全に且つ効率的に出し入れすることができない。
（３）省資源・省エネルギーの観点から、梱包用材料にはリサイクル又は再使用可能な材料を使用することが望ましく、また、国内のみでなく海外の顧客からもリサイクル可能な梱包用材料として段ボールの使用を指定されることが多い。特許文献１に代わって、パネル１枚ごとに梱包し、それをパレット上に水平に積み重ね固縛して輸送する方法が考えられるが、この場合には、次のような問題が派生し、採用することができない。
【０００４】
（４）各太陽電池パネルの出力は許容公差内でバラツキがあり、工場で梱包する際の梱包単位でのトータル出力調整、据付現地での設置場所ごとの出力調整を行う必要が生じた場合に、梱包済みの各太陽電池パネルの裏面に貼りつけてある製造番号で出力を確認し所定のパネルを取り出す作業が発生する。この場合に、パレット上に積み重ねられたパネル１枚ごとの梱包から所定の出力を有する製造番号のパネルを取り出すためには、積み重ねられたパネル１枚ごとの梱包を広い場所に移動して開梱し、パネル裏面の製造番号を確認する必要があり、多くの工費と作業スペースを要する。
（５）パネル１枚ごとに梱包するには、多くの梱包材料費と人工費がかかる。
（６）パネル１枚ごとの梱包は、それをパレット上に水平に積み重ね、バンド等で固縛してトラック又は船で輸送するが、この方法は不安定につき輸送中の激しい振動又は揺れ等による荷ずれ・荷崩れを防止するため、積み重ね段数を比較的に小さく制限する必要があり、トラック又はコンテナ船への積み付け効率低下、輸送コスト増を招き、また、工場又は据付現地でも広大な保管スペースが必要になる。
【０００５】
太陽光発電パネルの普及のためには、そのコスト低減が望まれる。素子自体の製造コストの低減の他に、大量輸送の梱包費の低減が必定である。大量の梱包箱の使用後の処置が適正であることが次に重要である。梱包容器の材料はリサイクル可能である材料であることが望まれる。特に、そのような材料としては、リサイクル的に製造され使用後にも再利用される段ボールが特に好ましい。段ボールは、全世界的にその使用が好ましいとされる材料である。コストの低減のためには、更に、梱包ユニットが組立自在であり解体自在であることが望ましい。その組立と解体の手間の削減は、流通過程の全体のコストをより一層に削減する。
【０００６】
【特許文献１】特開２００１−３１１６５号
【発明の開示】
【発明が解決しようとする課題】
【０００７】
本発明の課題は、大型・大質量の太陽電池パネルを工場又は据付現地で安全に且つ効率的に出し入れでき、折り畳み可能で工場又は現地での保管スペースが小さくて済み、輸送時の積み付け効率が高く、輸送中の振動又は揺れに対して安全であり、リサイクル又は再利用が可能である材料が使用される太陽電池パネル保持用ケーシング、段ボール箱組立方法、及び、段ボール箱解体方法を提供することにある。
本発明の他の課題は、大型・大質量の太陽電池パネルの大量輸送の梱包費と輸送費を低減する太陽電池パネル保持用ケーシング、段ボール箱組立方法、及び、段ボール箱解体方法を提供することにある。
本発明の更に他の課題は、組立と解体が容易である太陽電池パネル保持用ケーシング、段ボール箱組立方法、及び、段ボール箱解体方法を提供することにある。
本発明の更に他の課題は、リサイクル材料が用いられて組立と解体が容易である太陽電池パネル保持用ケーシング、段ボール箱組立方法、及び、段ボール箱解体方法を提供することにある。
本発明の更に他の課題は、組立途中と輸送中の太陽電池パネルを安全に保持する太陽電池パネル保持用ケーシング、段ボール箱組立方法、及び、段ボール箱解体方法を提供することにある。
【課題を解決するための手段】
【０００８】
本発明による太陽電池パネル保持用（又は輸送用）ケーシングは、梱包ケーシング（１）と、梱包ケーシング（１）を支持する木製パレット（２）と、梱包ケーシング（１）の天面側と木製パレット（２）の底面側に巻き付いて梱包ケーシング（１）と木製パレット（２）を締め付ける複数本の横方向締付バンド（５）と、梱包ケーシング（１）の天面側と木製パレット（２）の底面側に巻き付いて梱包ケーシング（１）と木製パレット（２）を締め付ける複数本の縦方向締付バンド（６）とから構成されている。梱包ケーシング（１）は、複数の上側仕切り（３１）と、複数の下側仕切り（２８）とから形成されている。上側仕切り（３１）のうち隣り合う２つの上側仕切り（３１）は、輸送対象の単位太陽電池パネル（Ｐ）の上方部位を縦方向締付バンド（６）が向く縦方向に案内する上側案内溝を形成し、下側仕切り（２８）のうち隣り合う２つの下側仕切り（２８）は、輸送対象の単位太陽電池パネル（Ｐ）の下方部位を縦方向に案内する下側案内溝を形成している。
【０００９】
木製パレット（２）とリサイクル可能である梱包ケーシング（１）が一体化され、輸送の前後の積み荷と積み降ろしの作業が簡素化される。縦方向締付バンド（６）と横方向締付バンド（５）は、梱包ケーシング（１）とパレット（２）の組立に利用され、且つ、梱包ケーシング（１）を締め付け、輸送中の太陽電池パネル（Ｐ）を安定化する。太陽電池パネル（Ｐ）は水平方向に梱包ケーシング（１）に摺動的に挿入され、持ち上げた後に降ろす作業がない。大型太陽電池パネルは、その質量が大きく、クレーンで吊して荷役作業することによる歪みが生じることが回避される。縦方向締付バンド（６）と横方向締付バンド（５）は、梱包ケーシング（１）に捻れが生じることを回避し、太陽電池パネルの歪みによる欠陥発生を回避する。木製パネルは再利用可能であることが特に好ましく、梱包ケーシング（１）はリサイクル可能であることが特に好ましい。
【００１０】
梱包ケーシング（１）の天面に接合する強度確保パネル（３）と、梱包ケーシング１のコーナー部位を安定化する接着テープ（４）との追加は、組立手順を簡素化し、捻れを防止する。
【００１１】
上側仕切り（３１）と下側仕切り（２８）は紙製の段ボールで形成されることが重要である。それらはリサイクルが可能であり、且つ、縦方向締付バンド（６）と横方向締付バンド（５）の締付け力が急峻に又は過激に太陽電池パネルに伝達されない。段ボールは、慣用語であり、対向する２層の紙製板と２層の紙製板の間に挟まれる紙製波板とで形成されている梱包材料である。梱包ケーシング（１）は６面体を形成する。その６面体の全てが段ボールで形成されることは既述の通りに有効である。
【００１２】
梱包ケーシング（１）は、側面体（１８）と、側面体（１８）の天面側に上方から被さる天蓋（３３）と、側面体（１８）の底面側に下方から被さる底蓋（１２）とから形成される。天蓋（３３）には天面体（２５）が装着され、底蓋（１２）には底面体（２６）が請求項着される。複数の上側仕切り（３１）は天面体（２５）に形成される。複数の下側仕切り（２８）は底面体（２６）に形成される。溝形成は工場で形成され得るので、現場での溝形成の作業が不要である。
【００１３】
６面体の全部位は段ボールで形成され、且つ、天面体（２５）と底面体（２６）は段ボールで形成されることは、既述の通りに有効である。
【００１４】
梱包ケーシング（１）の天面側に支持される強化パネル（３）が追加される。強化パネル（３）は、横方向締付バンド（５）と縦方向締付バンド（６）とにより梱包ケーシング（１）に締め付けられ、梱包ケーシング（１）の捻れを防止することができる。
【００１５】
木製パレット（２）は、最下層の第１木材柱（１１）と、第１木材柱（１１）に支持され第１木材柱（１１）に結合する点在間隔木材体（９）と、点在間隔木材体（９）に支持され点在間隔木材体（９）に結合し第１木材柱（１１）に直交する第２木材柱（８）と、第２木材柱（８）に支持され第２木材柱（８）に結合し第２木材柱（８）に直交する第３木材柱（７）とから形成される。太陽電池パネル梱包ケーシング（１）を搬送し荷役するための専用のパレットは、直交柱で形成され、その捻れが有効に回避される。
【００１６】
第１木材柱（１１）の本数は３であり、第２木材柱（８）の本数は３であり、第３木材柱（７）の本数は４又は４以上である。第３木材柱（７）の本数が更に多いことは、捻れを有効に防止する。３本の第１木材柱（１１）の間は、フォークリフトのフォークが入り込む空間を形成する。
【００１７】
本発明による段ボール箱組立方法は、パレット（２）を作業現場に載置する手順と、パレット（２）の上面に６面体構造の梱包ケーシングを載置する手順と、梱包ケーシングの天面側に形成され水平方向に向く上側案内溝と梱包ケーシングの底面側に形成され水平方向に向く下側案内溝とに輸送対象の太陽電池パネルの上縁部位と太陽電池パネルの下縁部位とを通して太陽電池パネルを水平方向に挿入して梱包ケーシングに装着する手順と、梱包ケーシングの１面部位の３つの縁を梱包ケーシングの他の３面部位の縁にそれぞれに合わせる手順と、１面部位と３面部位を接合する手順と、梱包ケーシングの天面とパレットの底面とを横方向バンドで締め付ける第１締付手順と、梱包ケーシングの天面とパレットの底面とを縦方向バンドで締め付ける第２締付手順とから構成される。このような簡素な手順で、現場で梱包ケーシングを組み立てる途中で太陽電池パネルを安定的に梱包ケーシングに収容することができる。
【００１８】
横方向バンドが向く横方向と縦方向バンドが向く縦方向は直交し、太陽電池パネルを水平方向に挿入する挿入方向は縦方向に一致していることは既述の通りに有効である。梱包ケーシングに太陽電池パネルを装着する手順が第１締付手順より時間的に後行すること、３面部位を接合する手順が第１締付手順より時間的に後行すること、第２締付手順より時間的に先行することは、梱包ケーシングの組立と太陽電池パネルの装着を同時進行的に進めるために合理的な手順である。
【００１９】
本発明による段ボール箱解体方法は、既述の段ボール箱組立方法により組立られた太陽電池パネル保持用の段ボール箱を解体する段ボール箱解体方法であり、縦方向バンドを切断し又は緩める手順と、１面部位（１８−１）を開く手順と、上側案内溝と下側案内溝に太陽電池パネルを案内して梱包ケーシングから抜き出す手順と、横方向バンドを切断し又は緩める手順と、梱包ケーシングをパレットから分離する手順とから構成される。梱包ケーシングをリサイクル工場に輸送する手順と、パレットの再利用地に輸送する手順の追加が特に有効である。
【発明の効果】
【００２０】
本発明による太陽電池パネル保持用ケーシング、段ボール箱組立方法、及び、段ボール箱解体方法は、太陽電池パネルを工場又は据付現地で安全に且つ効率的に出し入れできる。更には、折り畳み可能で工場又は据付現地での保管スペースが小さくて済み、輸送時の積み付け効率が高く、大量輸送の梱包費を低減することができる。特に、大型・大質量の太陽電池パネルに関して利益が大きい。リサイクル材料又は再利用可能材料が用いられて組立と解体が容易である。組立途中と輸送中に、太陽電池パネルを安定的に保護することができる。
【発明を実施するための最良の形態】
【００２１】
本発明による太陽電池パネル保持用ケーシングの実現態は、図に対応して、詳細に記述される。その実現態は、図１に組立完了後の荷姿が示されるように、６つの梱包ユニット形成部品により組み立てられ、その６つの梱包ユニット形成部品は、直方体状の梱包ケーシング１と、梱包ケーシング１を支持する木製パレット２と、梱包ケーシング１の天面に接合する強度確保パネル３と、梱包ケーシング１のコーナー部位を安定化する接着テープ４と、複数本の横方向締付バンド５と、複数本の縦方向締付バンド６とから形成されている。
【００２２】
木製パレット２は、単位発電パネルを製造し出荷する工場内敷地で走行するフォークリフトのフォークで昇降自在に支持され、搬送され移送されてトラックに積まれる。木製パレット２は、再使用が可能である。４面体の側面体１８は、１面状に折り畳まれることが可能である。６面体の梱包ケーシング１は、４面体の側面体１８と、底面体２６が接着された底蓋１２と、天面体２５が接着された天蓋３３とから形成されている。
【００２３】
図２は、木製パレット２の詳細を示している。木製パレット２は、３層の縦横木材と１層の点在間隔木材とから形成されている。３層の縦横木材の最上層は、多数本（４本を含み４本以上であり、９本が例示されている。）の第１層第１方向（上層縦方向）木材柱７で形成されている。３本の第２層第２方向（中層横方向）木材柱８は、図３に示されるように、第１層第１方向木材柱７にそれの下方側で接合している。３×ｎ個（ｎは３であることが好ましい。）の第３層点在間隔木材体９は、図３と図４とに示されるように、３本の第２層第２方向木材柱８にそれらの下側で接合している。３個の第３層点在間隔木材体９は、１本の第２層第２方向木材柱８に対応している。９個の第３層点在間隔木材体９は、縦横に等間隔で分散的に配置されている。３本の第４層第１方向木材柱１１は、９個の第３層点在間隔木材体９にそれらの下方側で接合している。このような３通りの接合は、木材釘の楔結合、又は、接着剤接合であることが好ましい。
【００２４】
地面に直接に支持される３本の第４層第１方向木材柱１１は、第１方向強度を確保し、且つ、２本の爪を持つフォークが水平方向に挿入される空間を形成する。９個の第３層点在間隔木材体９は、フォークが挿入される空間の高さ幅を確保する。９個の第３層点在間隔木材体９のそれぞれは、概ね直方体状であり又は立方体状（例示：図５に示されるように、８５×８５×８０：８０は高さ幅）であり、縦横に長く延びておらず、材料の節約に寄与している。多数の発電パネルを支持する支持体として形成される９本の第１層第１方向木材柱７と３本の第２層第２方向木材柱８との格子状縦横結合は、主として、重力方向の強度を確保する重力方向強度確保構造を形成し、且つ、鉛直軸廻りの回転的捻れに対する捻れ方向強度確保構造を形成している。使用される木材は、その含水率が２０％前後であることが好ましい。
【００２５】
組立ステップＳ１：
図６に示されるように、木製パレット２が工場の床面に置かれる。木製パレット２の第１層第１方向木材柱７が形成する平面の上に、底面体２６が接着された底蓋１２が載置される。底蓋１２は、５面体で形成されている。その５面体は、底面形成体１３と、４つの側壁面形成体１４とから形成されている。底面形成体１３と４枚の側壁面形成体１４の境界領域は、折れ曲がりが容易である折り畳線（例示：ミシン線）１５として形成されている。４枚の側壁面形成体１４のうちの１枚は、フラップ１４−１として形成されている。フラップ１４−１を含まない３枚の側壁面形成体１４のうち隣り合う２枚の側壁面形成体１４は、鉛直方向に向けられる立上り直交状態で、強力接着テープ４により結合される。フラップ１４−１は、下向き状態に保持される。底蓋１２は、トレーといわれる。底蓋１２に接着された底面体２６は、下側下敷き面体２７と多数の下側仕切り２８とから形成されている。下側仕切り２８は、既述の第１方向である縦方向に延び、下側下敷き面体２７の上面に対して直交している。底蓋１２と底面体２６は、全部位が弾性的であり振動吸収性がある材料により形成されている。そのような材料として、リサイクルが容易である段ボールが最適である。ここで段ボールは、対向する２層の平面状紙製板とその２層の間に挟まれる波状曲折面状紙製板とにより構造化されている振動吸収性紙製品である。
【００２６】
組立ステップＳ２：
立ち上がっている３枚の側壁面形成体１４の内側に、図７に示されるように、側面体１８が挿入的に載置される。側面体１８は、スリーブといわれる。側面体１８は、４面体で形成されている。４枚の側面体１８のうち手前側の側面体は、前面扉体１８−１として形成されている。前面扉体１８−１と１枚の側面体１８との間の境界領域は、開閉自在線（例示：ミシン線）２３で形成されている。
【００２７】
組立ステップＳ３：
次に、図７と図８に示されるように、天面体２５が接着された天蓋３３が梱包ケーシング１にかぶせられる。天蓋３３に接着された天面体２５は、上側下敷き面体２９と多数の上側仕切り３１とから形成されている。上側仕切り３１は第１方向に延び、上側下敷き面体２９の下面に対して直交している。天蓋３３は、底面側が開放され隣り合う５面体は、フラップ３３−１として形成され、上向き状態に維持される。他の３面体は互いに折り曲げられた後に、接着テープ４で直交状態に維持されて結合される。このような結合により、側面体１８と底蓋１２と天蓋３３とで形成され直方体状に組み立てられた容器は、発電パネル収容段ボール箱といわれる。
【００２８】
図８は、梱包ケーシング１の詳細を示している。梱包ケーシング１は、対向する２つの既述の側面体１８と、前面扉体１８−１に組上がり状態で対向する奥側面体１８とからなる側面体１８と、天面体２５が接着された上蓋３３と、底面体２６が接着された底蓋１２とから形成されている。天面体２５と底面体２６とは鏡面対称に形成されている。底面体２６は、下側下敷き面体２７と多数の下側仕切り２８とから形成されている。下側仕切り２８は、既述の第１方向である縦方向に延び、下側下敷面体２７の上面に対して直交している。天面体２５は、上側下敷き面体２９と多数の上側仕切り３１とから形成されている。上側仕切り３１は、第１方向に延び、上側下敷面体２９の下面に対して直交している。複数の下側仕切り２８と複数の上側仕切り３１は、それぞれに、横方向に同一の位置に（同一位相で）配置されている。下側仕切り２８は、下側下敷面体２７の一部に第１方向に形成される切れ目に挿入されて下側下敷面体２７に同体に組立られ、又は、１枚の板を折り返し的に折り曲げ、図９に示されるように、下側仕切り２８は折返し折曲げ部分２８’として形成され得る。天面体２５の組立は、底面体２６の組立に同じである。底面体２６は底蓋１２の上面に接着的に接合され得る。天面体２５は上蓋３３の下面に接着的に接合され得る。側面体１８と上蓋３３と、底蓋１２とで形成される梱包ケーシング１は、全部位が段ボールで形成されている。図９に示される底面体２６は、組立前には平面的であり得る。
【００２９】
図７に示されるように、３面の側面体１８のうち右手前の上下端は、上蓋３３と下蓋１２に接する部分の内面側を接着テープ４で仮止めする。このように、前面扉体１８−１が手前に引かれて開けられている状態で、梱包ケーシング１のうち５面体は立方体状又は直方体状に仮組立てされる。接着テープとして、任意の位置で直交方向に容易に指で切断することができるいわゆるガムテープが好適である。
【００３０】
組立ステップＳ４：
発電パネル収容段ボール箱の外側天面に、図７に示されるように、既述の強度確保パネル３が載置される。強度確保パネル３の４隅は、天蓋３３の上面の４隅に合致している。強度確保パネル３の材料は、段ボール板より十分に強い強度保証部材である。発電パネル収容段ボール箱は、強度確保パネル３と木製パレット２とにより上下から挟まれ、鉛直中心線の廻りの捻れに対して強度的に強化されている。発電パネル収容段ボール箱と強度確保パネル３の合成体は、強化パネルつき発電パネル収容段ボール箱といわれる。
【００３１】
組立ステップＳ５：
３本の横方向締付バンド５が用意されている。３本の横方向締付バンド５は、図１０に示されるように、既述の第１方向であり後述される発電パネル挿入方向に直交する横方向に上下部分が延びて、強化パネルつき発電パネル収容段ボール箱の周囲に３つの横断面上で締まりつく。横方向締付バンド５は、その上下部分と両側の鉛直部分とから形成されている。横方向締付バンド５は、１周の長さが可変であり張力調整自在であるための締付け器（バックル）をそれ自体に備えている。３本の横方向締付バンド５は、木製パレット２と強度確保パネル３の間で発電パネル収容段ボール箱を弾力的に且つ強力に締め付ける。横方向締付バンド５の下側水平部分は、木製パレット２の第１層第１方向木材柱７と木製パレット２の第４層第１方向木材柱１１との間のスペースに通され第２層第２方向木材柱８の下面に締まり付き、横方向締付バンド５の上側水平部分は、強度確保パネル３の上面に締まりつく。強化パネルつき発電パネル収容段ボール箱は、図１に示される既述の梱包ケーシング１に相当している。強度確保パネル３と木製パレット２とにより上下から挟まれ、３本の横方向締付バンド５により鉛直方向に締め付けられ既述の通りに、鉛直中心線の廻りの捻れに対する強度を保証している。
【００３２】
ステップＳ６：
天面体２５の隣り合う２条の上側仕切り３１と底面体２６の隣り合う２条の下側仕切り２８は、１つの単位発電パネルＰが挿入される単位挿入空間を形成している。図８に示されるように、単位発電パネルＰの上方部位は天面体２５の隣り合う２条の上側仕切り３１の間に案内され、単位発電パネルＰの下方部位は底面体２６の隣り合う２条の下側仕切り２８の間に案内される。単位発電パネルＰは、図１１に示されるように、複数パネル差込み装着体１７に案内されて第１方向（縦方向に）Ａに進み、単位発電パネルＰの先端面は複数パネル差込み装着体１７の奥側の奥側面体１８に接し、又は、単位発電パネルＰの先端面は複数パネル差込み装着体１７の奥側の奥側面体１８の内側面に対して適正な隙間を残して、図８に示されるように、複数パネル差込み装着体１７の中で第２方向に（横方向に）位置決めされて装着される。適正な個数（例示：２０個）の単位発電パネルＰが互いに隣り合い互いの対向側面の間に適正な隙間（下側仕切り２８と上側仕切り３１の横方向幅より僅かに広い）を開けて、横列に並んで複数パネル差込み装着体１７の中に装着される。段ボールで作成されている下側仕切り２８と上側仕切り３１は、単位発電パネルＰを弾力的に横方向に支持し、下側下敷面体２７は単位発電パネルＰを弾力的に鉛直方向に支持している。
【００３３】
組立ステップＳ７：
図１２は、単位発電パネルＰの詳細を示している。単位発電パネルＰは、単位発電パネル本体３７と単位発電パネル本体３７の４周縁を保護し全体の強度を確保する軽量のアルミ製の強化枠３８とから形成されている。単位発電パネル本体３７の１面の側には、１対の電力取出し接続線３９が取り付けられている。１対の電力取出し接続線３９の２本の線の端には、それぞれに雄型コネクタ４１と雌型コネクタ４２とが結合している。図１３に示されるように、強化枠３８の下側枠４３の下面と、下側枠４３の左右面（第１方向に直交する面）と、下側の２つの隅４４の３側面とは、帯状シート４５で被覆される。その被覆の作業時には、直角に曲がる帯状シート４５には皺４６が形成される。強化枠３８と帯状シート４５の接合面には、接着剤が塗られている。帯状シート４５の直角曲がり部分の上端と下側枠４３の下面との間の距離として定義される回込み寸法Ｄ１は、１０ｍｍ以上が確保されている。図１４は、下側枠４３に接合する帯状シート４５の水平向き部分の回り込みを示している。水平向き部分の一方側回込み部分の高さ幅Ｄ２とその水平向き部分の他方側回込み部分の高さ幅Ｄ３は、ともに、４ｍｍ以上が確保されている。帯状シート４５の材料としては、ポリエチレンシートが適正である。このような下側枠４３は、荷造り作業員により接合されず、単位発電パネルＰの製造工場で既に接合されている。荷造り作業員がその接合を確認することが重要である。既述のステップＳ６は、このようなステップＳ７の後に実行される。
【００３４】
組立ステップＳ８：
２０枚の単位発電パネルＰが梱包ケーシング１に収納された後に、図１５に示されるように、前面扉体１８−１が閉じられる。前面扉体１８−１のフラップ４７（図１１参照）は、複数パネル差込み装着体１７の側面体１８の１面に外側から重合し、フラップ４７とその１面は接着テープ４により接合される。図１６に示されるように、フラップ１４−１とフラップ３３−１が折られ、フラップ３３−１は外側から前面扉体１８−１の面に重合し、フラップ１４−１は外側から前面扉体１８−１の面に重合する。フラップ１４−１と底蓋１２のうちフラップ１４−１に直交する１面体は接着テープ４により接合され、フラップ３３−１と天蓋３３のうちフラップ３３−１に直交する１面体は接着テープ４により接合される。
【００３５】
組立ステップＳ９：
図１に示されるように、２本の縦方向締付バンド６が用意されている。２本の縦方向締付バンド６は、既述の第２方向であり後述される発電パネル挿入方向の縦方向に上下部分が延びて、強化パネルつき梱包ケーシング１の周囲に２つの縦断面上で締まりつく。縦方向締付バンド６は、その上下部分と両側の鉛直部分とから形成されている。縦方向締付バンド６は、１周の長さが可変であり張力調整自在であるための締付け器をそれ自体に備えている。２本の縦方向締付バンド６は、木製パレット２と強度確保パネル３の間で梱包ケーシング１を弾力的に締め付ける。縦方向締付バンド６の下側水平部分は、木製パレット２の第１層第１方向木材柱７と木製パレット２の第４層第１方向木材柱１１との間のスペースに通され第２層第２方向木材柱８の下面に締まり付き、縦方向締付バンド６の上側水平部分は、強度確保パネル３の上面に締まりつく。強度確保パネル３と木製パレット２とにより上下から挟まれ、２本の縦方向締付バンド６により鉛直方向に締め付けられ既述の通りに、鉛直中心線の廻りの捻れに対する強度を保証している。図１に示される組立体は、その全体がビニールシート（図示されず）で覆われる。ビニールシートで覆われる梱包ケーシング１の段ボール部分の弾力性強度が雨露により劣化することはない。
【００３６】
開梱ステップＳ１０：
図１に示される発送時の荷姿は、図１７に示される到着時の荷姿に同じである。２本の縦方向締付バンド６が切断され、図１８と図２０に示されるように、前面扉体１８−１が手前に引かれて開けられる。この際に、横方向締付バンド５が切断されないことが重要である。多数の単位発電パネルＰは、安定状態を維持している。
開梱ステップＳ１１：
図１８に示されるように、前面扉体１８−１に接合している４箇所のコーナーの接着テープ４が剥がされる。図１９に示されるように、フラップ３３−１が上向きに折り曲げられ、フラップ１４−１が下向きに折り曲げられる。次に、前面扉体１８−１に接合して鉛直方向に延びる長いコーナーの接着テープ４が剥がされる。
開梱ステップＳ１２：
図２０に示されるように、前面扉体１８−１が開けられて、多数の単位発電パネルＰはそれらの１つずつが梱包ケーシング１から丁寧に取り出される。
【００３７】
梱包ケーシング１の外側面又は強度確保パネル３の上面には、注意事項として、”横方向締付バンド５は製品取出し前の切断厳禁”、又は、これに同義の注意書きが表示されることが重要である。梱包ケーシング１が軋み下側仕切り２８と上側仕切り３１とで形成される収納空間が平行四辺形状に変形し、図１２の電力取出し直列化接続線３９が隣の単位発電パネルＰに接触して単位発電パネルＰの発電素子を毀損し、又は、単位発電パネルＰの表面どうしが擦れ合って発電素子が毀損することを回避することが重要である。段ボールで製作されている梱包ケーシング１は輸送時に弾力的に多数の動的な単位発電パネルＰを安定的に支持し、横方向締付バンド５によりその形態を保持している梱包ケーシング１は解体時の静的な単位発電パネルＰを安定的に支持する。製品取出し完了後には、横方向締付バンド５は切断され、梱包ケーシング１は解体されてリサイクル工場に送付される。再使用が可能である木製パレット２は、工場に返送されることが可能である。
【００３８】
公知の梱包容器（特にその実現例）と本願発明の梱包容器の比較は、下記の表形式で示される。
比較項目                    発明容器        公知梱包容器
１．箱体材料                段ボール        発泡樹脂
２．案内挿入空間            段ボール        発泡樹脂
３．挿入溝形成位置          上面と下面      下面と後面
４．挿入溝脱着              不可            可能
５．挿入溝連続性            連続            後面連続・下面不連続
６．製品挿入方向            水平方向        鉛直方向
７．蓋取付時期              製品収納前      製品収納後
８．パレット                有り            無し
９．梱包強度確保パネル      有り            無し
１０．固縛バンド            有り            無し
１１．箱本体の折り畳み      可能            不可
１２．大型・大質量パネル    良好            困難
の出し入れ作業性
１３．梱包材料のリサイクル  可能            不可
【図面の簡単な説明】
【００３９】
【図１】図１は、本発明による太陽電池パネル保持用ケーシングの実現態を示す斜軸投影図である。
【図２】図２は、パレットを示す平面図である。
【図３】図３は、図２の正面図である。
【図４】図４は、図２の側面図である。
【図５】図５は、パレットの部品の斜軸投影図である。
【図６】図６は、段ボール箱の組立の手順を示す斜軸投影図である。
【図７】図７は、段ボール箱の組立の次の手順を示す斜軸投影図である。
【図８】図８は、段ボール箱の部分を示す断面図である。
【図９】図９は、段ボール箱の他の部分を示す斜軸投影図である。
【図１０】図１０は、段ボール箱の組立の更に次の手順を示す斜軸投影図である。
【図１１】図１１は、段ボール箱の組立の更に次の手順を示す斜軸投影図である。
【図１２】図１２は、太陽電池パネルを示す平面図である。
【図１３】図１３は、図１２の一部を示す平面図である。
【図１４】図１４は、図１３の一部を示す側面断面図である。
【図１５】図１５は、段ボール箱の組立の更に次の手順を示す斜軸投影図である。
【図１６】図１６は、段ボール箱の組立の更に次の手順を示す斜軸投影図である。
【図１７】図１７は、段ボール箱の組立の更に次の手順を示す斜軸投影図である。
【図１８】図１８は、段ボール箱の解体の手順を示す斜軸投影図である。
【図１９】図１９は、段ボール箱の解体の次の手順を示す斜軸投影図である。
【図２０】図２０は、段ボール箱の解体の更に次の手順を示す斜軸投影図である。
【符号の説明】
【００４０】
１…梱包ケーシング（６面体）
２…木製パレット
３…強度確保パネル（強化パネル）
４…接着テープ
５…横方向締付バンド
６…縦方向締付バンド
７…第３木材柱
８…第２木材柱
９…点在間隔木材体
１１…第１木材柱
１２…底蓋
１３…底面形成体
１４…側面形成体
１４−１…フラップ
１５…折り畳み線
１７…複数パネル差込み装着体
１８…側面体
２３…開閉自在線
２５…天面体
２６…底面体
２７…下側下敷き面体
２８…下側仕切り
２９…上側下敷き面体
３１…上側仕切り
３３…天蓋
３７…太陽電池パネル本体
３８…アルミ製強化枠
３９…電力取出し接続線
４１…雄型コネクタ
４２…雌型コネクタ
４３…下側枠
４４…下側隅
４５…帯状シート
４６…皺
４７…フラップ
Ｐ…単位太陽電池パネル
【図１】
2005153888.tif 000003
【図２】
2005153888.tif 000004
【図３】
2005153888.tif 000005
【図４】
2005153888.tif 000006
【図５】
2005153888.tif 000007
【図６】
2005153888.tif 000008
【図７】
2005153888.tif 000009
【図８】
2005153888.tif 000010
【図９】
2005153888.tif 000011
【図１０】
2005153888.tif 000012
【図１１】
2005153888.tif 000013
【図１２】
2005153888.tif 000014
【図１３】
2005153888.tif 000015
【図１４】
2005153888.tif 000016
【図１５】
2005153888.tif 000017
【図１６】
2005153888.tif 000018
【図１７】
2005153888.tif 000019
【図１８】
2005153888.tif 000020
【図１９】
2005153888.tif 000021
【図２０】
2005153888.tif 000022